(57)【要約】【課題】消費電力を低減しつつ適切に入力された操作を検出することができる携帯電子機器を提供すること。【解決手段】筐体と、筐体の表面に露出して配置される表示部と、筐体の表面に露出している接触面を備え、接触面に照射した測定光の反射光を取得して、接触面の画像を取得し、取得した画像から該接触面に接触している対象物の変位を検出する変位検出部と、変位検出部で検出した変位から対象物の移動を検出する移動検出部と、移動検出の検出結果に基づいて操作信号を生成する信号生成部と、変位検出部による対象物の変位を検出する条件を設定する検出条件設定部と、各種機能の処理を実行し、信号生成部から入力された操作信号に基づいて実行する動作を制御する制御部と、を有し、変位検出部は、検出条件設定部で設定された条件で、該接触面に接触している対象物の変位を検出すること。【選択図】図６
2012113563.tif 000002
【特許請求の範囲】
【請求項１】
筐体と、
前記筐体の表面に露出して配置される表示部と、
前記筐体の表面に露出している接触面を備え、前記接触面に照射した測定光の反射光を取得して、前記接触面の画像を取得し、取得した前記画像から該接触面に接触している対象物の変位を検出する変位検出部と、
前記変位検出部で検出した変位から前記対象物の移動を検出する移動検出部と、
前記移動検出の検出結果に基づいて操作信号を生成する信号生成部と、
前記変位検出部による対象物の変位を検出する条件を設定する検出条件設定部と、
各種機能の処理を実行し、前記信号生成部から入力された操作信号に基づいて実行する動作を制御する制御部と、を有し、
前記変位検出部は、前記検出条件設定部で設定された条件で、該接触面に接触している対象物の変位を検出することを特徴とする携帯電子機器。
【請求項２】
前記検出条件設定部は、前記制御部で実行する機能に基づいて、前記対象物の変位を検出する間隔を変化させることを特徴とする請求項１に記載の携帯電子機器。
【請求項３】
前記変位検出部は、前記接触面の画像を連続して取得し、該画像を処理し、前記対象物の特徴点の変位を検出し、検出した前記特徴点の変位を前記対象物の変位として検出することを特徴とする請求項１または２に記載の携帯電子機器。
【請求項４】
前記変位検出部は、前記測定光として、赤外線を照射することを特徴とする請求項１から３のいずれか１項に記載の携帯電子機器。
【請求項５】
前記検出条件設定部は、前記制御部で実行する機能に基づいて、前記測定光の強度を変化させることを特徴とする請求項１から４のいずれか１項に記載の携帯電子機器。
【請求項６】
前記筐体の測定位置に照射される紫外線の強度を検出する紫外線センサをさらに有し、
前記検出条件設定部は、前記紫外線センサで検出した紫外線の強度に基づいて、前記測定光の強度を変化させることを特徴とする請求項１から５のいずれか１項に記載の携帯電子機器。
【請求項７】
前記検出条件設定部は、前記紫外線センサで検出した紫外線の強度の強度が強いほど、前記測定光の強度を高くすることを特徴とする請求項６に記載の携帯電子機器。
【請求項８】
前記変位検出部で検出した対象物の変化に基づいて、前記対象物の移動方向を検出する移動方向検出部をさらに有し、
前記制御部は、前記移動方向検出部で検出した移動方向にも基づいて、前記動作を制御することを特徴とする請求項１から７のいずれか１項に記載の携帯電子機器。
【請求項９】
前記対象物は、指または棒状の物体の先端であることを特徴とする請求項１から８のいずれか１項に記載の携帯電子機器。
【発明の詳細な説明】
【技術分野】
【０００１】
本発明は、入力部を有する携帯電子機器に関する。
【背景技術】
【０００２】
電子機器、例えば、携帯電話、ＰＤＡ、ポータブルナビゲーション装置、携帯ゲーム機、パソコン（ＰＣ）等の携帯電子機器には、操作を入力する操作部が設けられている。この操作部としては、キーボード、タッチパネル、マウス等がある。
【０００３】
また、主に、カーソル、ポインタ、アイコン等の操作を行うポインティングデバイスとしては、マウス、レバー、特許文献１に記載されているような上下左右の方向を入力する方向キー、特許文献２に記載されているような接触面（表面）への接触の変化（指の隆線の動き）を検出するポインティングデバイス等がある。
【先行技術文献】
【特許文献】
【０００４】
【特許文献１】特開２００９−２９５１５５号公報
【特許文献２】特開２００６−２６８８５２号公報
【発明の概要】
【発明が解決しようとする課題】
【０００５】
特許文献２に記載されているような光学式のセンサを用いて、接触面への接触の変化を検知し、カーソル、ポインタ、アイコン等の操作を行う操作部は、操作部の構成をより小型化することができるという利点がある。
【０００６】
ここで、光学式のセンサを用いる場合は、光源から光（測定光）を照射して検出を行っている。そのため、入力の検出時には、光源から光を射出するため電力が必要となり、入力の検出を行う毎に電力を消費してしまう。これに対して、入力の検出間隔を長くすることで電力消費を抑制することができるが、検出間隔が長いと誤検出が生じる恐れが多くなり入力デバイスとしての性能が低下してしまう。また、測定光の強度を低く（弱く）することでも電力消費を抑制することができるが、測定光の強度が低すぎると誤検出が生じる恐れが多くなり入力デバイスとしての性能が低下してしまう。
【０００７】
本発明は、上記に鑑みてなされたものであって、消費電力を低減しつつ適切に入力された操作を検出することができる携帯電子機器を提供することを目的とする。
【課題を解決するための手段】
【０００８】
上述した課題を解決し、目的を達成するために、本発明は、筐体と、前記筐体の表面に露出して配置される表示部と前記筐体の表面に露出している接触面を備え、前記接触面に照射した測定光の反射光を取得して、前記接触面の画像を取得し、取得した前記画像から該接触面に接触している対象物の変位を検出する変位検出部と、前記変位検出部で検出した変位から前記対象物の移動を検出する移動検出部と、前記移動検出の検出結果に基づいて操作信号を生成する信号生成部と、前記変位検出部による対象物の変位を検出する条件を設定する検出条件設定部と、各種機能の処理を実行し、前記信号生成部から入力された操作信号に基づいて実行する動作を制御する制御部と、を有し、前記変位検出部は、前記検出条件設定部で設定された条件で、該接触面に接触している対象物の変位を検出することを特徴とする。
【０００９】
また、前記検出条件設定部は、前記制御部で実行する機能に基づいて、前記対象物の変位を検出する間隔を変化させることが好ましい。
【００１０】
また、前記変位検出部は、前記接触面の画像を連続して取得し、該画像を処理し、前記対象物の特徴点の変位を検出し、検出した前記特徴点の変位を前記対象物の変位として検出することが好ましい。
【００１１】
また、前記変位検出部は、前記測定光として、赤外線を照射することが好ましい。
【００１２】
また、前記検出条件設定部は、前記制御部で実行する機能に基づいて、前記測定光の強度を変化させることが好ましい。
【００１３】
また、前記筐体の測定位置に照射される紫外線の強度を検出する紫外線センサをさらに有し、前記検出条件設定部は、前記紫外線センサで検出した紫外線の強度に基づいて、前記測定光の強度を変化させることが好ましい。
【００１４】
また、前記検出条件設定部は、前記紫外線センサで検出した紫外線の強度の強度が強いほど、前記測定光の強度を高くすることが好ましい。
【００１５】
また、前記変位検出部で検出した対象物の変化に基づいて、前記対象物の移動方向を検出する移動方向検出部をさらに有し、前記制御部は、前記移動方向検出部で検出した移動方向にも基づいて、前記動作を制御することが好ましい。
【００１６】
また、前記対象物は、指または棒状の物体の先端であることが好ましい。
【発明の効果】
【００１７】
本発明にかかる携帯電子機器は、消費電力を低減しつつ適切に入力された操作を検出することができるという効果を奏する。
【図面の簡単な説明】
【００１８】
【図１】図１は、携帯電話端末の外観を示す正面図である。
【図２】図２は、タッチパネル上に表示される仮想キーボードを示す図である。
【図３】図３は、入力デバイスの概略構成を示す断面図である。
【図４】図４は、入力デバイスの概略構成を示す表面図である。
【図５】図５は、入力動作の一例を説明するための説明図である。
【図６】図６は、携帯電話端末の機能の概略構成を示すブロック図である。
【図７】図７は、検出条件の一例を示す説明図である。
【図８】図８は、入力デバイスの動作を説明するための説明図である。
【図９】図９は、入力デバイスの動作を説明するための説明図である。
【図１０】図１０は、入力デバイスの動作を説明するための説明図である。
【図１１】図１１は、検出条件の一例を示す説明図である。
【図１２】図１２は、入力デバイスの動作を説明するための説明図である。
【図１３】図１３は、携帯電話端末の他の実施形態の外観を示す正面図である。
【図１４】図１４は、図１３に示す携帯電話端末の側面図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話端末を例として説明するが、本発明の適用対象は携帯電話端末に限定されるものではなく、入力部を備える各種装置、例えば、ＰＨＳ（Personal  Handy-phone  System）、ＰＤＡ、ポータブルナビゲーション装置、パーソナルコンピュータ、ゲーム機等に対しても本発明は適用できる。
【実施例】
【００２０】
図１は、本発明の携帯電子機器の一実施形態である携帯電話端末１の外観を示す正面図であり、携帯電話端末１は、薄板状の筐体１２を有する。携帯電話端末１は、筐体１２の表面に、タッチパネル２と、ボタン２０、ボタン２２及び入力デバイス２４からなる入力部３と、レシーバ７と、マイク８とが配置されている。タッチパネル２は、板状の筐体１２の面積が最も広い面に配置されている。また、入力部３も、筐体１２のタッチパネル２が配置されている面の、長手方向の一方の端部に配置されている。入力部３は、短手方向の一方から他方に向かって、ボタン２０、入力デバイス２４、ボタン２２の順で配置されている。また、レシーバ７は、筐体１２のタッチパネル２が配置されている面の長手方向の他方の端部、つまり、入力部３が配置されている端部とは反対側の端部に配置されている。また、マイク８は、筐体１２のタッチパネル２が配置されている面の長手方向の一方の端部、つまり、入力部３が配置されている端部に配置されている。
【００２１】
タッチパネル２は、文字、図形、画像等を表示するとともに、指、スタイラス、ペン（ペンの先端、棒状部材の先端）等（以下、単に「指」という）を用いてタッチパネル２に対して行われる各種動作を検出する。ここで、図２は、タッチパネル上に表示される仮想キーボードを示す図である。例えば、携帯電話端末１は、利用者から文字の入力を受け付けるために、図２に示すように、タッチパネル２上に仮想キーボード４を表示させる。携帯電話端末１は、タッチパネル２上に仮想キーボード４を表示させる状態で、指によってタッチパネル２に入力される各種動作を検出し、仮想キーボード４のどのキーが押下されたか、接触されたかを検出し、押下、接触を検出したキーを入力したキーとすることで、文字入力を行うことができる。また、タッチパネル２は、文字の入力によらず、表示させている画像と、指によってタッチパネル２に対して行われる各種動作とに基づいて、各種操作の入力を検出し、入力された操作に基づいて各種制御を行う。
【００２２】
入力部３は、ボタン２０、２２が押下された場合に、押下されたボタンに対応する機能を起動させる。また、入力部３は、入力デバイス２４に入力された動作も操作として検出し、入力された操作に基づいて各種制御を行う。以下、図３から図５を用いて、入力デバイス２４の構成について説明する。ここで、図３は、入力デバイスの概略構成を示す断面図であり、図４は、入力デバイスの概略構成を示す表面図であり、図５は、入力動作の一例を説明するための説明図である。
【００２３】
入力デバイス２４は、光源３０と、光学ユニット３２と、センサ３４と、処理部３６と、接触面３８と、を有し、筐体１２の表面に露出した接触面３８に接触する指Ｆの動きを検出し、解析することで、指Ｆによって入力された操作を検出する。なお、本実施形態では、指Ｆの動きとしたが、接触面３８に接触し、その接触の変化、つまり移動を検出することができる対象物であれば、操作を入力する対象物として用いることができる。対象物としては、上述のタッチパネル２と同様に、指、スタイラス、ペン等を用いることができる。また、接触面３８は、表面に指Ｆ等の対象物が接触することにより、光の反射の特性が変化する材料で形成されている。また、接触面３８は、露出面が円形形状である。なお、入力デバイス２４の近傍には、タッチパネル２が配置されており、タッチパネル２は、表示部２Ｂと、表示部２Ｂに重畳されたタッチセンサ２Ａとで構成されている。
【００２４】
光源３０は、測定光となる光を出力する光源である。光源としては、ＬＥＤ（Light  Emitting  Diode）、レーザダイオード等を用いることができる。なお、光源としては、測定光として一定の波長、特に、不可視領域の波長の光を出力する光源を用いることが好ましい。なお、本実施形態の光源３０は、測定光として赤外線領域の光（赤外線）を出力する光源である。不可視領域の波長の光を用いることで、接触面３８から外部に光が射出されても、認識されないようにすることができ、ユーザがまぶしい思いをすることを抑制できる。また、光学ユニットを簡単にすることができるため、指向性の高い光を射出する光源を用いることが好ましい。
【００２５】
光学ユニット３２は、光源３０から出力された測定光を、接触面３８に到達させた後、センサ３４まで案内する光の経路を構成する機構であり、ミラー３２ａと、光学系３２ｂとを有する。ミラー３２ａは、光源３０から出力された光を反射し、接触面３８に向けて偏向する。光学系３２ｂは、測定光を集光、屈折させる光学部材で構成され、接触面３８で反射した測定光をセンサ３４に向けて偏向する。
【００２６】
センサ３４は、接触面３８で反射された測定光を検出する光検出素子である。センサ３４は、平面の検出面を有し、平面の各位置に入射される光の強度の分布を検出することで、接触面３８の画像を取得する。なお、本実施形態のセンサ３４は、受光した光のうち光源３０から出力された測定光の波長域の光、具体的には赤外線領域の光の分布を検出し、接触面３８の画像を取得する。つまりセンサ３４は、検出面の赤外線画像を取得する。センサ３４は、検出した結果（画像）を処理部３６に送る。処理部３６は、入力処理部（ＤＳＰ、Digital  Signal  Processor）であり、センサ３４での検出結果に基づいて、指Ｆの動きを検出する。なお、処理部３６については、後ほど説明する。
【００２７】
入力デバイス２４は、以上のような構成であり、光源３０から出力した測定光を光学ユニット３２で案内することで、接触面３８で反射させた後、センサ３４に入射させる。つまり、入力デバイス２４は、接触面３８に照射した測定光の反射光をセンサ３４で取得する。その後、入力デバイス２４は、センサ３４で入射した光の分布の情報を処理部３６に送り、処理部３６で、検出結果を解析することで、接触面３８に接触している指Ｆ（対象物）の形状を検出する。入力デバイス２４は、このように接触面３８に接触している指Ｆの形状の検出を一定時間毎に繰り返すことで、接触面３８に接触している指Ｆの形状の変化、つまり、指Ｆの動き、指Ｆの移動を検出する。なお、入力デバイス２４は、指Ｆの画像を検出することで、指Ｆの凹凸（指紋等）を検出し、その指紋から特徴点を検出し、その特徴点の移動を検出することで、指Ｆの移動を検出することができる。また、図３では、接触面３８の一箇所のみを検出している状態を示しているが、同様のユニットを複数配置することで、接触面３８の全域の画像を取得（検出）することができる。また、本実施形態の入力デバイス２４は、画像取得時のみ光源３０から光を出力することで画像を取得することができる。つまり、入力デバイス２４は、光源３０をＯＮ／ＯＦＦを切り替え、画像取得時のみ光源３０から光を出力させる。
【００２８】
ここで、入力デバイス２４は、図４に示すように、接触面３８の領域が、第１領域４０と、第２領域４２と、第３領域４４と、第４領域４６とに分割して設定されている。ここで、第１領域４０は、接触面３８の中心を中心として、タッチパネル２に最も近い点を０°とした場合、３１５°から４５°間までの領域である。同様に、第２領域４２は、１３５°から２２５°間までの領域である。また、第３領域４４は、２２５°から３１５°間までの領域である。また、第４領域４６は、４５°から１３５°間までの領域である。
【００２９】
入力デバイス２４は、例えば、タッチパネル２に長手方向を上下方向とした画像を表示させている場合に、第１領域４０から第２領域４２に指Ｆ（指Ｆの任意の特徴点）が移動したことを検出したら、カーソル等の操作対象が、下方向に移動する指示が入力されたと判定する。また、図５に示すように、指ＦがＸ方向に移動し、入力デバイス２４が、指Ｆが第３領域４４から第４領域４６に移動したことを検出したら、操作対象が、右方向に移動する指示が入力されたと判定する。このように、入力デバイス２４は、領域を分割しておき、どの領域からどの領域に指が移動したかを検出することで、上下左右の４つのうちいずれの方向に移動する操作が入力されたかを判定することができる。つまり、入力デバイス２４を方向キーとして好適に用いることができる。なお、入力デバイス２４は、特徴点の移動を検出することで、直線方向の移動に加え、回転方向（接触面３８に垂直な軸を回転軸とした回転軸周り）の指の移動も検出する。
【００３０】
次に、携帯電話端末１の機能と制御部との関係を説明する。図６は、図１に示す携帯電話端末１の機能の概略構成を示すブロック図である。図６に示すように携帯電話端末１は、タッチパネル２と、入力部３と、電源部５と、通信部６と、レシーバ７と、マイク８と、記憶部９と、主制御部１０と、ＲＡＭ（Random  Access  Memory）１１と、紫外線センサ１６と、カメラ１８と、を有する。
【００３１】
タッチパネル２は、上述したように、表示部２Ｂと、表示部２Ｂに重畳されたタッチセンサ２Ａとを有する。タッチセンサ２Ａは、指を用いてタッチパネル２に対して行われた各種動作を、動作が行われた場所のタッチパネル２上での位置とともに検出する。タッチセンサ２Ａによって検出される動作には、指をタッチパネル２の表面に接触させる動作や、指をタッチパネル２の表面に接触させたまま移動させる動作や、指をタッチパネル２の表面から離す動作が含まれる。なお、タッチセンサ２Ａは、感圧式、静電式等のいずれの検出方式を採用していてもよい。表示部２Ｂは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００３２】
入力部３は、上述したようにボタン２０、２２と、入力デバイス２４とを有する。ボタン２０、２２は、物理的な入力（押下）を通じて利用者の操作を受け付け、受け付けた操作に対応する信号を主制御部１０へ送信する。なお、入力デバイス２４については、後述する。
【００３３】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式等による無線信号回線を確立し、基地局との間で電話通信及び情報通信を行う。レシーバ７は、電話通信における相手側の音声や着信音等を出力する。マイク８は、利用者等の音声を電気的な信号へ変換する。
【００３４】
記憶部９は、例えば、不揮発性メモリや磁気記憶装置であり、主制御部１０での処理に利用されるプログラムやデータを保存する。具体的には、記憶部９は、メールの送受信や閲覧のためのメールプログラム９Ａや、ＷＥＢページの閲覧のためのブラウザプログラム９Ｂや、入力デバイス２４に入力された入力操作に基づいて制御動作、処理を決定する入力処理プログラム９Ｃや、文字入力時にタッチパネル２に表示される仮想キーボード４に関する定義を含む仮想キーボードデータ９Ｄや、入力処理で検出した入力操作と制御動作とを対応付けた条件を含む処理条件テーブル９Ｅを記憶する。また、記憶部９には、携帯電話端末１の基本的な機能を実現するオペレーティングシステムプログラムや、氏名、電話番号、メールアドレス等が登録されたアドレス帳データ等の他のプログラムやデータも記憶される。また、記憶部９には、タッチパネル２に入力された入力操作に基づいて制御動作、処理を決定するプログラム等も記憶される。なお、制御動作、処理とは、携帯電子機器１で実行する各種動作、処理が含まれ、例えば、カーソル、ポインタの移動、画面の表示切替、文字入力処理、各種アプリケーションの起動処理、終了処理がある。
【００３５】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、入力部３、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００３６】
紫外線センサ１６は、筐体１２の所定位置（測定位置、検出素子が配置された位置）に照射される紫外線（紫外波長域の光）の強度を計測する計測器である。紫外線センサ１６は、紫外線の強度の検出結果を主制御部１０に送る。カメラ１８は、画像を撮影する撮影窓が、筐体１２から露出しては配置されており、撮影領域の画像を取得する撮像機構である。
【００３７】
次に、図６から図８を用いて、入力デバイス２４について説明する。入力デバイス２４は、図６に示すように、変位検出部５０と、移動検出部５２と、移動方向検出部５６と、信号生成部５８と、検出条件設定部５９と、を有する。なお、変位検出部５０の一部と、移動検出部５２と、移動方向検出部５６と、信号生成部５８と、検出条件設定部５９と、は、演算処理を実行する機能部であり、処理部３６を構成する処理部により実行される。また、変位検出部５０の一部と、移動検出部５２と、移動方向検出部５６と、信号生成部５８と、検出条件設定部５９と、の機能は、１つのアプリケーションソフト、プログラムで実行するようにしても、機能毎に別々のアプリケーションソフト、プログラムで実行するようにしてもよい。また、本実施形態では、処理部３６と、主制御部１０とを別々に設けたが、１つのＣＰＵで両方の機能を実行するようにしてもよい。また、処理部３６の一部の機能を主制御部１０で実行するようにしてもよい。
【００３８】
変位検出部５０は、上述した光源３０と、光学ユニット３２と、センサ３４と、処理部３６の一部の機能と、接触面３８とを有する。変位検出部５０は、上述した処理により、接触面３８の画像を取得し、解析することで、対象物の変位（移動）を検出する。変位検出部５０は、設定された時間毎（例えば２０ｍｓ毎、４０ｍｓ毎、６０ｍｓ毎）に検出を行い（ポーリングデータを取得し）、接触面の画像の変化、または、何らかの接触があったことを検出したら、変位を検出する処理を開始する。なお、変位検出部５０は、後述する検出条件設定部５９で設定された条件で、画像を取得し、変位の検出を行う。
【００３９】
移動検出部５２は、変位検出部５０で検出した画像の情報または対象物の変位の情報から、対象物の直線移動を検出する。移動検出部５２は、単位時間当たりごとに変位量を検出し、検出した変位量の積算値、つまり対象物の移動量が一定の値を超えたら、対象物が直線移動したと検出する。なお、移動検出部５２は、直線移動の検出の基準は、種々の設定とすることができる。例えば、一定時間内での移動量の積算値が閾値を超えたら移動したと判定してもよい。また、単位時間当たりの変位量（瞬時値、一回の検出で検出した変位量）が一定の値を超えたら移動したと判定してもよい。また、移動検出部５２は、変位検出部５０で検出した画像の情報または対象物の変位の情報から、対象物の回転移動も検出する。移動検出部５２は、対象物の移動の検出結果を信号生成部５８に送る。
【００４０】
移動方向検出部５６は、変位検出部５０で検出した変位の方向を検出し、対象物が移動した方向を検出する。つまり、移動方向検出部５６は、対象物が、第１領域４０から第４領域４６のいずれから、第１領域４０から第４領域４６のいずれかに移動したかを検出し、検出した移動方向の情報を信号生成部５８に送る。また、移動方向検出部５６は、対象物の移動が回転移動である場合、対象物の回転方向が時計回りであるか、反時計回りであるかも検出し、検出した回転方向の情報を信号生成部５８に送る。
【００４１】
信号生成部５８は、移動検出部５２と、移動方向検出部５６と、から送られている情報に基づいて、操作信号を生成し、生成した操作信号を主制御部１０に送る。本実施形態では、信号生成部５８は、移動検出部５２で対象物が直線移動したことを検出した場合、直線移動の操作信号を生成し、移動検出部５２で対象物が回転移動したことを検出した場合、回転移動の操作信号を生成する。また、信号生成部５８は、同じ検出タイミングで、対象物の直線移動と回転移動とが検出された場合は、回転移動の操作信号を生成する。また、信号生成部５８は、直線移動の操作信号または回転移動の操作信号を生成し、生成した操作信号を主制御部１０に出力したら、移動検出部５２と、移動方向検出部５６と、の検出結果を初期化する。これにより、移動検出部５２と、移動方向検出部５６とは、操作信号が主制御部１０に送信される毎に検出値が初期化される。
【００４２】
また、信号生成部５８は、移動方向検出部５６から送られた移動方向の情報に基づいて、移動方向を示す操作信号を生成し、主制御部１０に送る。なお、信号生成部５８は、直線移動の操作信号または回転移動の操作信号を生成するときに、移動方向を示す操作信号を生成するようにしても、直線移動の操作信号及び回転移動の操作信号の生成とは関係なく、移動方向を示す操作信号を生成するようにしてもよい。なお、信号生成部５８は、回転移動の操作信号を生成する場合は、移動方向を示す操作信号として、回転方向を示す操作信号を生成する。
【００４３】
検出条件設定部５９は、変位検出部５０で変位を検出する条件を設定する条件設定部である。本実施形態の検出条件設定部５９は、主制御部１０で実行している（起動し処理している）アプリケーションに基づいて、変位検出部５０で変位を検出する時間間隔を設定する。ここで変位を検出する時間間隔とは、接触面３８の画像を取得する間隔であり、光源３０から測定光を出力する時間間隔である。ここで、図７は、検出条件の一例を示す説明図である。具体的には、主制御部１０により実行されているアプリケーション（端末の状態）と、測定光を出力する時間間隔（赤外線照射間隔）との対応関係を示す表である。なお、図７に示す対応関係では、通話状態に赤外線照射間隔の「長」が対応付けられ、メニュー操作時に赤外線照射間隔の「中」が対応付けられ、カメラ操作時に赤外線照射間隔の「短」が対応付けられ、待受け状態に赤外線照射間隔の「長」が対応付けられている。
【００４４】
ここで、通話状態とは、主制御部１０が、電話に関連するアプリケーションを実行し、他の通信機器との通話処理を行っている状態である。メニュー操作時とは、任意のアプリケーションを起動するための選択画面や、任意のアプリケーションの起動時に複数の項目から実行する処理を決定するための選択画面を表示させ、選択操作の入力を待っている状態である。カメラ操作時とは、カメラ１８により画像を撮影する処理を実行するアプリケーションが起動されている状態であり、カメラ１８による画像の撮影に関する操作の入力を待っている状態である。待ち受け状態とは、ユーザの操作の入力または予め設定した条件を満たすことを待っている状態（いわゆる待受画面を表示させている状態）である。つまり、待ち受け状態とは、常時起動されているプログラム等を除いたアプリケーションが起動されていない状態である。また、待受画面とは、電話の発着信を待ち受けている状態の画面、または、アプリケーションプログラムの起動を待ち受けている状態の画面である。換言すると、待受画面は、携帯電話端末１が提供する各種機能画面へ画面が変わる前の画面である。なお、待受画面は、例えば、デスクトップ画面、ホーム画面、または、壁紙と呼ばれることもある。
【００４５】
赤外線照射間隔の「短」は、間隔がより短い設定、つまり単位時間当たりの測定光の照射回数（画像の取得回数）が最も多い設定である。赤外線照射間隔の「中」は、赤外線照射間隔の「短」よりも間隔がより長い設定、つまり単位時間当たりの測定光の照射回数（画像の取得回数）が「短」よりも少ない設定である。赤外線照射間隔の「長」は、赤外線照射間隔の「中」よりも間隔がより長い設定、つまり単位時間当たりの測定光の照射回数（画像の取得回数）が「中」よりも少ない設定である。つまり、赤外線照射間隔は、「短」、「中」、「長」の順で照射間隔が長くなり、単位時間当たりの測定光の照射回数が少なくなる。
【００４６】
検出条件設定部５９は、図７に示すような実行しているアプリケーションと、測定光を出力する時間間隔との対応関係を記憶している。検出条件設定部５９は、入力デバイス２４が起動されると、主制御部１０から実行しているアプリケーションの情報を取得し、起動しているアプリケーション、実行しているアプリケーションの状態に基づいて端末の状態を特定する。また、検出条件設定部５９は、特定した端末の状態に基づいて、赤外線照射間隔を「短」、「中」、「長」のいずれかに設定する。
【００４７】
入力デバイス２４は、以上のような構成である。入力デバイス２４は、検出条件設定部５９により変位検出部５０の駆動条件を設定する。その後、入力デバイス２４は、設定した駆動条件で変位検出部５０を駆動し、駆動した変位検出部５０で対象物の変位を検出する。入力デバイス２４は、移動検出部５２が変位検出部５０で検出した値に基づいて対象物の移動を検出する。また、入力デバイス２４は、移動方向検出部５６が変位検出部５０で検出した値に基づいて対象物の移動方向（縦、横、斜め等の直線成分の移動方向と、時計回り、反時計回り回転成分の移動方向）を検出する。ここで、移動方向検出部５６は、Ｘ軸の変位、Ｘ軸に直交するＹ軸の変位、Ｘ軸及びＹ軸に直交するＺ軸周りの回転変位を検出する。また、移動方向検出部５６は、各軸に対して変位がプラス方向の変位量であるか、マイナス方向（プラス方向とは逆方向）の変位量であるかを検出し、移動方向を検出する。信号生成部５８は、検出された結果に基づいて操作信号を生成し、生成した操作信号を主制御部１０に送る。
【００４８】
なお、主制御部１０は、入力された操作信号と起動している各種機能とに基づいて、入力された操作信号に対応する制御を実行する。つまり、主制御部１０は、入力処理プログラム９Ｃを読み出し実行し、処理条件テーブル９Ｅと操作信号とに基づいて実行する処理を決定し、決定した処理（制御）を実行する。ここで、入力デバイス２４に入力する操作（入力デバイス２４で検出される操作）に対応する処理としては、マウス、ジョイスティック、トラックボール等のいわゆるポインティングデバイスで入力可能な各種操作に対応する各種処理があり、カーソルの移動や、ポインタの移動、画面のスクロール等が例示される。また、回転操作に対応する処理としては、画像の回転処理や特殊キーの操作や、キーの長押し操作に対応付けた処理が例示される。
【００４９】
次に、図８を用いて、入力デバイスの検出動作について説明する。ここで、図８は、入力デバイスの動作を説明するための説明図である。また、図８は、光源３０から出力する測定光の強度（ＬＥＤ照射量）と、時間との関係を示すグラフである。なお、図８は、縦軸をＬＥＤ照射量（測定光の強度）とし、横軸を時間とした。なお、図８に示す例では、光源３０は、変位の検出時（画像の取得時）のみ測定光を出力する。このため、測定光を出力する間隔が測定間隔となる。
【００５０】
ここで、図８に示す例では、時間ｔ１から時間ｔ２までの間は端末の状態が通話状態であり、時間ｔ２から時間ｔ３までの間は端末の状態がメニュー操作時であり、時間ｔ３から時間ｔ４までの間は端末の状態がカメラ操作時であり、時間ｔ４から時間ｔ５までの間は端末の状態が待ち受け状態である。つまり、図８に示す例では、携帯電話端末１は、時間ｔ２にメニュー操作画面が起動されることで通話状態からメニュー操作時に移行し、時間ｔ３にカメラ機能が起動されることでメニュー操作時からカメラ操作時に移行し、時間ｔ４にカメラ機能が終了されることでカメラ操作時から待ち受け状態に移行する。
【００５１】
ここで、検出条件設定部５９は、時間ｔ１から時間ｔ２までの間は端末の状態が通話状態であるため、赤外線照射間隔を「長」に設定する。これにより、変位検出部５０は、測定光の照射間隔をＴ１として、時間Ｔ１が経過する毎に光源３０から所定のＬＥＤ照射量の光を出力する。次に、検出条件設定部５９は、時間ｔ２から時間ｔ３までの間は、端末の状態がメニュー操作時であるため、赤外線照射間隔を「中」に設定する。これにより、変位検出部５０は、測定光の照射間隔をＴ２として、時間Ｔ２が経過する毎に光源３０から所定のＬＥＤ照射量の光を出力する。なお、照射間隔Ｔ２は、照射間隔Ｔ１よりも短い時間である。次に、検出条件設定部５９は、時間ｔ３から時間ｔ４までの間は、端末の状態がカメラ操作時であるため、赤外線照射間隔を「短」に設定する。これにより、変位検出部５０は、測定光の照射間隔をＴ３として、時間Ｔ３が経過する毎に光源３０から所定のＬＥＤ照射量の光を出力する。なお、照射間隔Ｔ３は、照射間隔Ｔ２よりも短い時間である。次に、検出条件設定部５９は、時間ｔ４から時間ｔ５までの間は端末の状態が待ち受け状態であるため、赤外線照射間隔を「長」に設定する。これにより、変位検出部５０は、測定光の照射間隔をＴ１として、時間Ｔ１が経過する毎に光源から所定のＬＥＤ照射量の光を出力する。
【００５２】
携帯電話端末１は、以上のように、検出条件設定部５９が主制御部１０で実行されている処理（実行されているアプリケーション）に基づいて、赤外線の照射間隔（変位の検出間隔）を調整することで、実行されている処理に適した適切な間隔で入力を検出することができる。上記実施形態において、通話状態は、通話音量変化及び通話遮断時しか触れない。また、待ち受け状態は、特にキー入力操作が発生しない。このように通話状態、待ち受け状態は、入力デバイス２４に操作が入力される可能性が低くまた入力される操作も限定的であるため、赤外線の照射間隔（変位の検出間隔）を長く（広く）しても、適切に入力を検出することができる。次に、メニュー操作時は、キー操作が入力される可能性が高いため、赤外線の照射間隔（変位の検出間隔）を、一定程度短い間隔とすることで、適切に入力を検出することができる。また、カメラ操作は、撮影モード・輝度・ズーム等を変化させる操作が入力される可能性が高いため、赤外線の照射間隔（変位の検出間隔）を短い間隔とすることで入力をより的確に検出することができる。
【００５３】
このように、実行されている処理に適した適切な間隔で入力を検出することで、待ち受け状態や通話状態時に必要以上の赤外線を照射し、変位の検出を実行することを抑制することができる。これにより、消費電力を低減することができる。また、端末の状態が高精度な検出が必要な場合には、赤外線の照射間隔を短くすることができる。これにより、誤検出が発生する恐れを低減することができる。
【００５４】
なお、照射間隔Ｔ１、照射間隔Ｔ２は、照射間隔Ｔ３の整数倍の時間とすることが好ましい。例えば、照射間隔Ｔ１、照射間隔Ｔ２、照射間隔Ｔ３としては、Ｔ１＝６０ｍｓ、Ｔ２＝４０ｍｓ、Ｔ３＝２０ｍｓが例示される。このように、測定間隔を最も短い間隔の整数倍することで、１つのクロックを用いて測定光の出力間隔を制御することができる。これにより、制御をより簡単にすることができる。また、主制御部１０は、実行するアプリケーションで実行する機能により、検出した操作信号のうち一部の操作信号のみを使用してもよい。つまり、入力デバイス２４により検出した操作信号をどのように使用するかは、各アプリケーションの使用に基づいて決定すればよい。
【００５５】
また、検出条件設定部５９は、赤外線照射間隔が「長」または「中」の設定については、変位検出部５０で変位を検出したら、つまり接触面３８への対象物の接触を検出したら、赤外線照射間隔を「短」とする設定としてもよい。つまり、接触面３８への対象物の接触を検出していない状態では赤外線照射間隔を長くし、接触面３８への対象物の接触を検出した後は、赤外線照射間隔を短くするようにしてもよい。このように、接触面３８への対象物の接触を検出した後は、赤外線照射間隔を短くすることで、より誤検出の発生の恐れを抑制することができる。また、検出条件設定部５９は、接触面３８への対象物の接触を検出した後、赤外線照射間隔を短くする期間の条件（例えば、一定時間経過するまで、移動検出部５２で操作を検出するまで）を設定することで、必要な場合のみ赤外線照射間隔を短くすることができ、赤外線の照射回数が増えすぎることを抑制できる。
【００５６】
また、上記実施形態では、端末の状態として４つの状態を示したが、端末の状態はこれに限定されない。携帯電話端末１（及び電子機器）で想定される種々の状態（起動される種々のアプリケーション）のそれぞれに対して赤外線照射間隔を設定することができる。また、各状態に適した赤外線照射間隔を設定することで、消費電力を低減しつつ、入力デバイス２４への入力を適切に検出できるという効果を得ることができる。
【００５７】
なお、上記実施形態では、検出条件設定部５９は、端末の状態に応じて赤外線照射間隔を設定したが、設定する条件はこれに限定されない。条件を設定する基準も端末の状態には限定されない。
【００５８】
検出条件設定部５９は、紫外線センサ１６で検出した紫外線の強度に基づいて光源３０から出力する赤外線の強度を設定してもよい。つまり、携帯電話端末１及び入力デバイス２４は、設定する条件として光源３０から出力する赤外線の強度を用いることができ、条件を設定する基準として紫外線の強度を用いることができる。
【００５９】
ここで、図９及び図１０は、それぞれ入力デバイスの動作を説明するための説明図である。入力デバイス２４は、接触面３８で反射し、センサ３４に入力する赤外線を検出することで、接触面３８の画像を検出する。ここで、入力デバイス２４の接触面３８は、指等の対象物が接触する位置に配置されており外部に露出されている。そのため、センサ３４には、測定光に加え、接触面３８を通過して外部から入射した赤外線（特に太陽光に含まれる赤外線）入射する。このとき、入力デバイス２４の外部から入力する赤外線の強度は、図９に示すように日中の屋外で使用する場合と、図１０に示すように屋内で使用する場合とで大きく異なる。具体的には、図９に示すように屋外で使用する場合の方がセンサ３４に太陽光に含まれる赤外線がより多く入射する。ここで、外部からセンサ３４に入力する赤外線が測定光の赤外線に対して一定割合以上となると、外部からセンサ３４に入力する赤外線がノイズとなり誤検出が発生する恐れがある。
【００６０】
これに対して、本実施形態の入力デバイス２４の検出条件設定部５９は、紫外線センサ１６で検出した紫外線の強度に基づいて測定光（赤外線）の強度を設定する。具体的には、検出条件設定部５９は、紫外線センサ１６で検出した紫外線の強度が強い（高い）場合、測定光（赤外線）の強度を高くし、紫外線センサ１６で検出した紫外線の強度が弱い（低い）場合、測定光（赤外線）の強度を低くする。
【００６１】
外部からセンサ３４に入射する光は、赤外線と紫外線が所定範囲の比例関係となる。このため、筐体に入射する紫外線の強度を検出する紫外線センサ１６で検出した紫外線の強度が強い場合は、入力デバイス２４に入射する赤外線の強度も高くなる。また、紫外線センサ１６で検出した紫外線の強度が弱い場合は、入力デバイス２４に入射する赤外線の強度も低くなる。なお、紫外線センサ１６で検出した紫外線の強度が強い場合とは、上述したように屋外にいる場合であり、紫外線センサ１６で検出した紫外線の強度が弱い場合は、上述したように室内にいる場合や夜である場合等である。
【００６２】
検出条件設定部５９は、紫外線センサ１６で検出した紫外線の強度に基づいて測定光（赤外線）の強度を設定することで、外部から入射する赤外線の強度にあわせて光源から出力する測定光（赤外線）の強度を調整することができる。
【００６３】
これにより、室内にいる場合や夜である場合等、外部から入射する赤外線の強度が弱い場合は、測定光の強度も低くすることで、測定光の強度を低く抑えることができる。なお、室内にいる場合や夜である場合等は、ノイズが小さいため、測定光の強度を低くしても、入力デバイスへの入力を好適に検出することができる。また、日中の屋外等にいる場合は、測定光の強度も高くすることで、測定光と外部から入力する赤外線とを識別することが出来、入力デバイスへの入力を好適に検出することができる。これにより誤検出が発生する恐れを低減することができる。
【００６４】
また、紫外線センサ１６は、日焼け防止情報を通知等の他の用途にも用いることができるため、センサを有効に活用することができ、装置構成を増やすことなく、測定光の強度を調整することができる。なお、入力デバイスに入力する光を検出するセンサとしては、紫外線センサ１６以外を用いてもよい。例えば、カメラ１８を用いて測定光の波長域の光の強度を検出してもよい。また、カメラ１８を紫外線センサとして用いてもよい。
【００６５】
なお、本実施形態では、ユーザに視認されることなくより計測を好適に行えるため測定光として赤外線を用いたが測定光はこれに限定されない。測定光としては、可視光、不可視光種々の光を用いることができる。測定光として赤外線以外を用いた場合でも、紫外線センサの検出結果に基づいて、強度を調整することで上記効果を得ることができる。
【００６６】
携帯電話端末１及び入力デバイス２４は、上述した各種制御を組み合わせてもよい。具体的には、端末の状態と紫外線センサ１６の検出結果とに基づいて、測定光の照射間隔と測定光の強度とを設定するようにしてもよい。図１１は、検出条件の一例を示す説明図である。具体的には、測定光を出力する時間間隔（赤外線照射間隔）と、紫外線センサ１６により検出される紫外線量と、測定光の強度（ＬＥＤ照射量）との対応関係を示す表である。つまり、測定光を出力する時間間隔（赤外線照射間隔）と紫外線センサ１６により検出される紫外線量とに基づいて決定される測定光の強度（ＬＥＤ照射量）を示す表である。
【００６７】
なお、図１１に示す対応関係では、紫外線量が大で、赤外線照射間隔が「短」の場合は、測定光の強度の「強」が対応付けられ、紫外線量が大で、赤外線照射間隔が「中」の場合は、測定光の強度の「強」が対応付けられ、紫外線量が大で、赤外線照射間隔が「長」の場合は、測定光の強度の「中」が対応付けられている。また、紫外線量が小で、赤外線照射間隔が「短」の場合は、測定光の強度の「強」が対応付けられ、紫外線量が小で、赤外線照射間隔が「中」の場合は、測定光の強度の「中」が対応付けられ、紫外線量が小で、赤外線照射間隔が「長」の場合は、測定光の強度の「弱」が対応付けられている。また、紫外線量が大とは検出された紫外線量が閾値よりも大きい場合であり、紫外線量が小とは検出された紫外線量が閾値以下の場合である。紫外線量の閾値としては、例えば、屋内であるか日中の屋外であるかの基準となる値を用いることができる。なお、測定光の強度は、「強」、「中」、「弱」の順で測定光の強度が弱く（低く）なる。
【００６８】
検出条件設定部５９は、図１１に示す対応関係を用いることで、端末の状態と紫外線センサ１６の検出結果とに基づいて、測定光の照射間隔と測定光の強度とを設定することができる。なお、端末の状態に基づく測定光の照射間隔の設定は、上述した図７の対応関係を用いる。
【００６９】
次に、図１２を用いて、入力デバイスの検出動作について説明する。ここで、図１２は、入力デバイスの動作を説明するための説明図である。また、図１２は、光源３０から出力する測定光の強度（ＬＥＤ照射量）と、時間との関係を示すグラフである。なお、図１２は、縦軸をＬＥＤ照射量（測定光の強度）とし、横軸を時間とした。なお、図１２に示す例も、光源３０は、変位の検出時（画像の取得時）のみ測定光を出力する。このため、測定光を出力する間隔が測定間隔となる。なお、図１２には、各時間における端末の状態（アプリケーション）と紫外線センサ１６により検出される外部紫外線量も示す。なお、図１２に示す各時間における端末の状態は、図８と同様であるので説明は省略する。本実施形態では、赤外線照射間隔を端末の状態に基づいて決定するため、赤外線照射間隔は図８に示す例と同一となる。
【００７０】
検出条件設定部５９は、時間ｔ１から時間ｔ２までの間は、赤外線照射間隔を「長（Ｔ１）」に設定されている。この場合、紫外線量が「大」のときＬＥＤ照射量は「中」となり、光源３０から強度Ｐ２の測定光（赤外線）が出力される。また、紫外線量が「小」のときＬＥＤ照射量は「弱」となり、光源３０から強度Ｐ１の測定光（赤外線）が出力される。これにより、紫外線量が「大」から「小」となると、測定光（赤外線）の強度がより弱く設定される。その後、紫外線量が「小」から「大」となると、測定光（赤外線）の強度がより強く設定される。
【００７１】
また、検出条件設定部５９は、時間ｔ２から時間ｔ３までの間は、赤外線照射間隔を「中（Ｔ２）」に設定されている。この場合は、紫外線量が「大」のときＬＥＤ照射量は「強」となり、光源３０から強度Ｐ３の測定光（赤外線）が出力される。また、紫外線量が「小」のときＬＥＤ照射量は「中」となり、光源３０から強度Ｐ２の測定光（赤外線）が出力される。これにより、紫外線量が「大」から「小」となると、測定光（赤外線）の強度がより弱く設定される。
【００７２】
検出条件設定部５９は、時間ｔ３から時間ｔ４までの間は、赤外線照射間隔を「短（Ｔ３）」に設定されている。この場合、紫外線量が「大」、「小」のいずれでも、ＬＥＤ照射量は「強」となり、光源３０から強度Ｐ３の測定光（赤外線）が出力される。
【００７３】
検出条件設定部５９は、時間ｔ４から時間ｔ５までの間は、赤外線照射間隔を「低（Ｔ１）」に設定されている。この場合は、時間ｔ１から時間ｔ２までの間と同様の処理が行われる。
【００７４】
携帯電話端末１は、以上のように、検出条件設定部５９が主制御部１０で実行されている処理（実行されているアプリケーション）に基づいて、赤外線の照射間隔（変位の検出間隔）を調整し、さらに、赤外線の照射間隔と紫外線量に基づいて測定光の強度を調整することで、使用している状況に適した条件で入力を検出することができる。例えば、照射間隔が短い場合は、紫外線量によらず測定光の強度を高くすることで、より正確に入力を検出することができる。これにより、本実施形態の条件を用いることで、より正確な検出が必要な場合は、照射間隔を短くし、測定光の強度を高くすることができる。また、条件によっては、光の強度を低くして、照射間隔も長く（広く）することができる。
【００７５】
ここで、上記実施形態では、携帯電話端末として、タッチパネルを有する構成としたが、本発明はこれに限定されない。図１３は、実施形態に係る携帯電話端末の他の実施形態の概略構成を示す正面図であり、図１４は、図１３に示す携帯電話端末の側面図である。図１３、図２４に示す携帯電話端末１００は、無線通信機能を有する携帯電話機である。携帯電話端末１００は、筐体１０１Ｃが複数の筐体で構成される。具体的には、筐体１０１Ｃは、第１筐体１０１ＣＡと第２筐体１０１ＣＢとで開閉可能に構成される。すなわち、携帯電話端末１００は、折り畳み式の筐体を有する。なお、携帯電話端末１００の筐体は、このような構造に限定されるものではない。例えば、携帯電話端末１００の筐体は、両方の筐体を重ね合わせた状態から一方の筐体と他方の筐体とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。
【００７６】
第１筐体１０１ＣＡと第２筐体１０１ＣＢとは、連結部であるヒンジ機構１０８で連結されている。ヒンジ機構１０８で第１筐体１０１ＣＡと第２筐体１０１ＣＢとを連結することにより、第１筐体１０１ＣＡ及び第２筐体１０１ＣＢは、ヒンジ機構１０８を中心として、図１４の矢印Ｒで示す方向に相対的に回動できる。第１筐体１０１ＣＡと第２筐体１０１ＣＢとは、ヒンジ機構１０８を中心として、図１４中実線で示す位置から、図１４中点線で示す位置、折り畳まれた状態となる位置まで移動することができる。
【００７７】
第１筐体１０１ＣＡには、表示部として、図１３に示すディスプレイ１０２が設けられる。ディスプレイ１０２は、携帯電話端末１００が受信を待機している状態のときに待ち受け画像を表示したり、携帯電話端末１００の操作を補助するために用いられるメニュー画像を表示したりする。また、第１筐体１０１ＣＡには、携帯電話端末１００の通話時に音声を出力する出力手段であるレシーバ１０６が設けられる。
【００７８】
第２筐体１０１ＣＢには、通話相手の電話番号や、メール作成時等に文字を入力するための操作キー１１３Ａが複数設けられ、また、操作キー１１３Ａのヒンジ１０８側には、入力デバイス１１３Ｂが設けられている。操作キー１１３Ａ及び入力デバイス１１３Ｂは、携帯電話端末１００の操作部１１３を構成する。また、第２筐体１０１ＣＢには、携帯電話端末１００の通話時に音声を受け取る音声取得手段であるマイク１１５が設けられる。操作部１１３は、図１４に示す、第２筐体１０１ＣＢの操作面１０１ＰＣに設けられる。操作面１０１ＰＣとは反対側の面が、携帯電話端末１００の背面１０１ＰＢである。
【００７９】
第２筐体１０１ＣＢの内部には、アンテナが設けられている。アンテナは、無線通信に用いる送受信アンテナであり、携帯電話端末１００と基地局との間で通話や電子メール等に係る電波（電磁波）の送受信に用いられる。また、第２筐体１０１ＣＢには、マイク１１５が設けられる。マイク１１５は、図１４に示す、携帯電話端末１００の操作面１００ＰＣ側に配置される。
【００８０】
携帯電話端末１００のように、操作キー１１３Ａを有する場合も、入力デバイス１１３Ｂを設けることで、上述した各種操作が入力することができる。つまり、入力デバイス１１３Ｂを、ディスプレイ１０２に表示されるメニューの選択及び決定や画面のスクロール等を容易に実行するための方向及び決定キーとして用いることができる。
【００８１】
なお、上述した入力部（入力デバイス及びその制御）は、上述したように種々の電子機器に用いることができるが、上述したように携帯電子機器、特に携帯電話端末に用いることが好ましい。携帯電子機器、特に携帯電話端末のように、小型化、薄型化されており、配置できる入力部の領域が小さい場合でも、１つの入力デバイスで種々の入力が可能となる。このため、本発明の効果をより好適に得ることができる。
【００８２】
また、上記実施形態の入力デバイス２４は、直線方向の移動に加え回転方向の移動も操作として検出したがこれに限定されない。入力デバイス２４は、直線方向の移動と、回転方向の移動の少なくとも一方を入力された操作として検出すればよい。なお、操作性をより高くできるため、入力デバイス２４は、少なくとも直線方向の移動を操作として検出することが好ましい。
【産業上の利用可能性】
【００８３】
以上のように、本発明に係る携帯電子機器は、操作の入力に有効であり、カーソル、ポインタを移動させることが必要な場合に特に適している。
【符号の説明】
【００８４】
１  携帯電話端末
２  タッチパネル
２Ａ  タッチセンサ
２Ｂ  表示部
３  入力部
４  仮想キーボード
５  電源部
６  通信部
７  レシーバ
８  マイク
９  記憶部
９Ａ  メールプログラム
９Ｂ  ブラウザプログラム
９Ｃ  入力処理プログラム
９Ｄ  仮想キーボードデータ
９Ｅ  処理条件テーブル
１０  主制御部
１１  ＲＡＭ
１２  筐体
１６  紫外線センサ
１８  カメラ
２０、２２  ボタン
２４  入力デバイス
３０  光源（ＬＥＤ素子）
３２  光学ユニット
３２ａ  ミラー
３２ｂ  光学系
３４  センサ
３６  処理部
３８  接触面
４０  第１領域
４２  第２領域
４４  第３領域
４６  第４領域
５０  変位検出部
５２  移動検出部
５６  移動方向検出部
５８  信号生成部
５９  検出条件設定部
【図１】
2012113563.tif 000003
【図２】
2012113563.tif 000004
【図３】
2012113563.tif 000005
【図４】
2012113563.tif 000006
【図５】
2012113563.tif 000007
【図６】
2012113563.tif 000008
【図７】
2012113563.tif 000009
【図８】
2012113563.tif 000010
【図９】
2012113563.tif 000011
【図１０】
2012113563.tif 000012
【図１１】
2012113563.tif 000013
【図１２】
2012113563.tif 000014
【図１３】
2012113563.tif 000015
【図１４】
2012113563.tif 000016